(57)【要約】      （修正有）【課題】捕虫機能を低下させずに、光触媒に紫外線を照射して、効率よく二酸化炭素を発生させることにより、吸血蚊を含む、飛翔虫を効率よく捕虫することができる捕虫器を提供する。【解決手段】捕虫器は、虫を誘引するための誘引光源２と、誘引光源２にて誘引された虫を捕獲する捕虫紙３と、誘引光源２及び捕虫紙３を収納する函体４と、を具備する捕虫器１であって、函体４の側部６内面であって、誘引光源２照射面の長手方向外側の非対向位置に、光触媒９が設けられている。【選択図】図１
2019106911.tif 000002
【特許請求の範囲】
【請求項１】
虫を誘引するための誘引光源と、前記誘引光源にて誘引された虫を捕獲する捕虫紙と、前記誘引光源及び捕虫紙を収納する函体と、を具備する捕虫器であって、
前記の函体の側部内面であって、前記誘因光源の長手方向外側の非対向面に、光触媒が設けられている、捕虫器。
【請求項２】
前記光触媒は、方形または略球形の粒状の固形物である、請求項１に記載の捕虫器。
【請求項３】
前記光触媒は、さらに消臭物質層が設けられている、請求項１または２に記載の捕虫器。
【発明の詳細な説明】
【技術分野】
【０００１】
本発明は、捕虫器に関し、特に捕虫効率が向上すると共に、消臭機能を有する、捕虫器に関するものである。
【背景技術】
【０００２】
小バエや蛾などの飛翔虫の好む紫外線を発する誘虫ランプと粘着シートとが取付枠体に設けられ、誘虫ランプに誘引された飛翔虫を粘着シートで捕獲する捕虫器は広く知られている（例えば特許文献１）。このような捕虫器においては、誘引源である紫外線が広範囲に照射されるため、多くの飛翔虫を誘引可能である。また、誘引した飛翔虫を感電死させるのではなく、粘着シートに付着させて捕獲するため、電気代が安く、安全性も高いといったメリットもある。
【０００３】
しかし、紫外線は、多くの飛翔虫を誘引することができるが、ヤブ蚊（ヒトスジシマカ）などの有害な吸血蚊は、紫外線により十分に誘因されない。一方、このような吸血蚊は、二酸化炭素に強く誘引される。このため、二酸化炭素を用いる捕虫器が開発されている（例えば、特許文献２）。
【０００４】
この文献に開示されている捕虫器では、光触媒に紫外線を照射して二酸化炭素を発生させる。このため、光触媒を採用する構成では、特許文献２に示すように、二酸化炭素の発生量を増加させるために、誘虫ランプの紫外線発生面に対向する位置に光触媒を配置する。このため、接着面を設ける場所や開口部の大きさなど装置の配置構成に制限がかかり、効率よく捕虫できないという問題がある。
【０００５】
また、捕虫器は通常捕虫のみを行う。しかし、捕虫と共に、消臭することができれば、別個に消臭器を設ける必要が無くなる。
【先行技術文献】
【特許文献】
【０００６】
【特許文献１】特公平１１−４６６５７号公報
【特許文献２】特開２００６−８７３７１号公報
【発明の概要】
【発明が解決しようとする課題】
【０００７】
捕虫機能を低下させずに、光触媒に紫外線を照射して、効率よく二酸化炭素を発生させることにより、吸血蚊を含む、飛翔虫を効率よく捕虫することができる捕虫器を提供する必要がある。
また、捕虫と共に、消臭を行うことができる捕虫器を提供する必要がある。
【課題を解決するための手段】
【０００８】
本発明者は、光触媒を誘因光源照射面の非対向位置に設けても、効率よく二酸化炭素を発生させることを見いだして、本発明を完成した。すなわち、本発明は、以下のとおりである。
【０００９】
本発明の捕虫器は、虫を誘引するための誘引光源と、前記誘引光源にて誘引された虫を捕獲する捕虫紙と、前記誘引光源及び捕虫紙を収納する函体と、を具備する捕虫器であって、前記の函体の側部内面であって、前記誘因光源照射面の長手方向外側の非対向位置に、光触媒が設けられている。
【００１０】
本発明において、光触媒は、誘因光源照射面の長手方向外側の非対向位置に設けられる。この結果、粘着シートの大きさや開口部の構造と関係なく、光触媒を設けることができるので、装置の配置構成に制限が少なく、効率よく捕虫できる。
【００１１】
また、前記光触媒は、方形または略球形の粒状の固形物であると好ましい。このような形状であると、捕虫器内において、光触媒の取り付けが容易になるからである。
【００１２】
また、前記光触媒は、さらに消臭物質層が設けられていてもよい。消臭物質層を設けることにより、捕虫と共に、消臭することができる。
【発明の効果】
【００１３】
本発明の捕虫器は、誘引光源を用いると共に、誘引光源光触媒を用いて二酸化炭素を発生させる。その際に、光触媒は、函体の側部内面であって、誘因光源照射面の長手方向外側の非対向位置に設けられている。この結果、粘着シートの大きさや開口部の構造と関係なく、光触媒を設けることができる。
【図面の簡単な説明】
【００１４】
【図１】図１は、本発明の捕虫器の正面図である。
【図２】図２は、本発明の捕虫器の右側面図である。
【発明を実施するための形態】
【００１５】
以下、図面により本発明を説明する。図１は、本発明の捕虫器の正面図である。図２は、本発明の捕虫器の右側面図である。図１、２に示すように、本発明の捕虫器１は、虫を誘引するための誘引光源２と、誘引光源２にて誘引された虫を捕獲する捕虫紙３と、誘引光源２及び捕虫紙３を収納する函体４とで構成される。本発明の捕虫器１は、上記構造を有する限り、横置き型（例えば、実用新案登録第３２０４２６２号）、縦置き型（例えば、意願２０１７−０１４７０３）、吊り下げ型などいずれの使用形態であってもよい。
【００１６】
図２に示すように、函体４は、上面に前記誘引光源を固定する基部５と、前記基部の長手方向に沿って上面を覆うように配設され、上頂部に開口部が形成されるとともに、内側面に前記捕虫紙が配設される側部６と、前記基部の両端に取り付けられ前記側部の側方を閉止するキャップ部７とを、備える。
【００１７】
誘引光源２は、一般的に多くの飛翔虫が好む３００〜４００ｎｍの紫外線を強く発することにより、飛翔虫を誘引する。誘引光源２は、直管状の蛍光灯として構成されている。また、この波長の紫外線は、光触媒として最も普及している二酸化チタンをはじめ、殆どの光触媒を光励起させることができる。誘引光源２の形状は特に制限はないが、直管状の蛍光灯として構成されていれば好ましい。誘引光源２は、基体５上に設けたソケット８に着脱可能に固定される。
【００１８】
捕虫紙３は、一面に粘着剤が塗布された帯状シートとして構成されており、後述する側
部４１の内周面に配接され、内側面の円弧形状に沿って左右方向（長手方向）に取り付けられている。捕虫紙３の取替は、キャップ部７を側部６の側方から取り外し、側部６を取り外して行う。
【００１９】
基体５上面には、誘因光源２から発せられる光を開口部に向けて反射する反射部を設けていてもよい。基部５の内部には、誘因光源２のインバータなどの電源装置が収納されており、基部５の一方の側面から電源コードが延出される（図示せず）。
【００２０】
本発明において、光触媒９は、誘因光源照射面の長手方向外側の非対向位置に設けられるとは、函体において光触媒が基体上に設けたソケットより外部に設けられることを意味する。光触媒は、誘引光源２から放射される紫外線が照射される必要がある。このため、光触媒は、紫外線が照射される位置に設ければよい。
【００２１】
また、誘因光源照射面の長手方向外側の非対向位置に光触媒を設けることにより、捕虫紙３を設ける広さや、虫が入ってくる開口の面積が制限されることなく、二酸化炭素を発生させることができる。光触媒は、例えばキャップ部の内面に塗布する、または図２の示すようにキャップ部７の内側に光触媒を固定する固定部１０を設けて固定するなどにより、誘因光源照射面の長手方向外側の非対向位置に設けることができる。
【００２２】
固定部１０を設けて光触媒を固定する場合には、光触媒は、方形または略球形の粒状の固形物であると、固定しやすいため好ましい。粒状の固形物は、方形または略球形の粒の表面に二酸化チタンなどを焼き付けコートしたものであり、既存の光触媒商品を用いることができる。
【００２３】
この二酸化チタンは、誘引光源２が発する３００〜４００ｎｍの紫外線に対して光励起し、酸化作用を起こし、これにより空気中に含まれる有機物を酸化して二酸化炭素を生ずる。光触媒としての二酸化チタンは、低廉で光触媒活性が高いので好ましい。光触媒としては、二酸化炭素に限られず、他の金属酸化物やその他の材料を使用してもよい。
【００２４】
また、粒状の固形物は、光触媒のみで構成されていなくてもよい。例えば、消臭性を有する、漆喰、セラミックなどの消臭物質を含む消臭物質層を含んでいてもよい。これにより、捕虫と同時に消臭効果を得ることができる。
【００２５】
捕虫器１の作用を説明する。まず、捕虫器１の誘引光源２を点灯させると、誘引光源２から紫外線が発せられる。これにより、紫外線に誘引される小バエや蛾、一部の蚊などの昆虫が、この紫外線に誘引されて、捕虫紙３に捕獲される。一方、紫外線に照射された、誘因光源２照射面の長手方向外側の非対向位置にある光触媒９は、光触媒の酸化触媒により、埃や油などの空気中に存在する有機物を酸化して二酸化炭素を発生する。この二酸化炭素は徐々に拡散して、捕虫器１周囲の二酸化炭素濃度が上昇する。これにより、紫外線には誘引されないが、二酸化炭素に誘引される、吸血蚊などが誘引されて、捕虫紙３に捕獲される。
【００２６】
また、粒状の固形物が消臭物質層を含んでいる場合には、消臭物質が周囲の臭気物質を消臭する。
【符号の説明】
【００２７】
１    捕虫器
２    誘因光源
３    捕虫紙
４    函体
５    基部
６    側部
７    キャップ部
８    ソケット
９    光触媒
１０    固定部
【図１】
2019106911.tif 000003
【図２】
2019106911.tif 000004